(57)【特許請求の範囲】
【請求項１】
リ−ル本体の側板間に回転自在に支持したスプ−ルに釣糸を平行に巻回する釣糸案内装置をスプ−ル前方の側板間に往復動自在に設けた魚釣用リールの釣糸案内装置において、前記釣糸案内装置の釣糸案内部の釣糸案内孔の形状を上方部を幅広に下方部を幅狭に連設形成すると共に、該幅狭部の底部を前記スプールのフランジ外周径より上側の高さに配設したことを特徴とする魚釣用リ−ルの釣糸案内装置。
【発明の詳細な説明】
【０００１】
【発明の属する技術分野】
この発明は、釣糸をスプ−ルに平行に巻き上げる魚釣用リ−ルの釣糸案内装置に関する。
【０００２】
【従来の技術】
従来、リ−ル本体の側板間に回転自在に支持したスプ−ルに釣糸を平行に巻回するための釣糸案内装置を備えた魚釣用リ−ルは、例えば実開昭57−141768号公報、実開昭59−50269 号公報、実開昭62−162967号公報等で見られるように従来より一般的に知られている。
これらの釣糸案内装置の釣糸案内部の形状は、幅広のスプ−ルに釣糸を平行に巻回する機能上、通常丸形又は幅狭の長円形に形成されている。
【０００３】
図１０（ａ）のように釣糸放出操作時に、スプ−ル13から放出される釣糸18は仕掛け（錘り、ルア−）が糸を引く速度とスプ−ル回転時に働く遠心力の関係により、巻着径よりδのように上方に広がりながら前方へ放出される。
又、図１０（ｂ）のように、釣糸案内装置Ｂ′の釣糸案内部52とスプ−ル13の幅とあや巻き角度の関係に依りスプ−ルの幅分左右に広がるため、スプ−ルに巻回されている釣糸の繰出し位置と釣糸案内部にズレが生じる場合がある。
他方釣糸案内部の横幅全体を広くすると、糸巻き状態が悪くなる。
実釣の釣糸放出操作時には前記図１０（ａ）、図１０（ｂ）の影響により、釣糸案内部に釣糸が接触して抵抗を受け、飛距離が低下すると共に不必要な摩擦抵抗を受けることにより釣糸にキズをつけたり等、釣糸の寿命を低下させてしまう等の課題が残されている。
【０００４】
【発明が解決しようとする課題】
解決しようとする問題点は、仕掛けが糸を引く速度とスプ−ル回転時に働く遠心力の関係により、巻着径より上方に広がりながら前方へ放出されることと、スプ−ルに巻回されている釣糸の繰出し位置と釣糸案内部にズレが生じることから、釣糸案内部に釣糸が接触して抵抗を受け、飛距離が低下すると共に不必要な摩擦抵抗を受けることにより釣糸にキズをつけたり等、釣糸の寿命を低下させてしまう等の欠点がある。
【０００５】
本発明の目的は前記欠点に鑑み、釣糸巻回時には釣糸案内部の幅狭い下方部で案内して平行巻きし、放出時は幅広い上方部で摩擦抵抗を低減して飛距離及び釣糸の寿命が向上させる魚釣用リ−ルの釣糸案内装置を提供することである。
【０００６】
【課題を解決するための手段】
上記課題を解決するために、本発明は、リ−ル本体の側板間に回転自在に支持したスプ−ルに釣糸を平行に巻回する釣糸案内装置をスプ−ル前方の側板間に往復動自在に設けた魚釣用リールの釣糸案内装置において、前記釣糸案内装置の釣糸案内部の釣糸案内孔の形状を上方部を幅広に下方部を幅狭に連設形成すると共に、該幅狭部の底部を前記スプールのフランジ外周径より上側の高さに配設したことを要旨とするものである。
【０００７】
【発明の実施の形態】
本発明は、釣糸案内部9ｈの釣糸案内孔9m、9n、9o、9pの形状が幅αの幅広い上方部ｂと幅εの幅狭部9k′の下方部ｃで形成されると、スプ−ル13に釣糸18が巻回される時は幅εの幅狭部9k′の下方部ｃで釣糸18が案内されて平行巻きされ、スプ−ル13から釣糸18が繰出されて放出される時は幅αの幅広い上方部ｂを釣糸18が挿通されるので、放出操作時に釣糸18が上方へ広がった場合には、釣糸18の摩擦抵抗が低減されて飛距離及び釣糸の寿命が向上される。
又、釣糸案内部9ｈの釣糸案内孔9m、9n、9o、9pの上方部ｂが幅広に形成されているため、釣糸18を容易に釣糸案内孔9m、9n、9o、9pに通し易く、糸通しの作業性が良くなる。
【０００８】
【実施例】
以下、図示の実施例によって本発明を説明すると、図１から図６は第１実施例で、図１は魚釣用リ−ルの一部断面平面図、図２は反ハンドル側のスプ−ル軸支持機構の拡大断面平面図、図３は魚釣用リ−ルの側枠内側の断面側面図、図４は魚釣用リ−ルの正面図、図５は釣糸案内装置の拡大正面図、図６は駆動機構側の拡大断面平面図である。
【０００９】
リ−ル本体Ａは側枠１と側枠１の左右両側枠1a、1bに取り付けられた左側側板10と右側側板２で構成されている。
側枠１の左右両側枠1a、1bは複数本の支柱11とリ−ル脚12の固定板1cと指載せ杆1dで一体的に、かつ左右両側枠1a、1bが平行に保持されている。
両側枠1a、1bには夫々スプ−ルカバ−３、４が図示しないビスで取り付けられている。
両側枠1a、1b間にはスプ−ル13が回転可能に支持され、スプ−ル13が固定されたスプ−ル軸５はスプ−ルカバ−３に取り付けられた一方のラジアル軸受14とスプ−ルカバ−４に取り付けられた他方のラジアル軸受15で回転可能に軸承されている。
左右両側枠1a、1b間のスプ−ル13より釣糸繰出し方向側に釣糸案内装置Ｂが設けられている。
スプ−ル13は釣糸巻回胴部13a と一側フランジ13b と他側フランジ13c と中心軸部13d で形成されている。
スプ−ル軸５には、クラッチ機構Ｃを構成するピンからなる係合突起17が固定されている。
【００１０】
スプ−ルカバ−３のカバ−部3aの外側外周は側枠1aの透孔1eに装脱自在に嵌合されて図示しないビスでスプ−ルカバ−３は側枠1aの外側に取り付けられている。
スプ−ルカバ−３の内側中心には筒部3bが形成されて筒部3b内は二段の凹部に形成されて前記軸受14とラジアル軸受19とが取り付けられている。
軸受19にはスラスト軸受板20が支持されてスラスト軸受板20にスプ−ル軸５の小径部5aが当接されている。
筒部3bには円周溝3cが形成されると共に円周溝3cの上下の周面内にマグネット21、22が一定の間隔をおいて対向するように固定されている。
【００１１】
スプ−ル軸５の太径部5bの端部外周にはころがり式一方向クラッチＤの複数個の棒状ころがり部材23が回転可能に載せられて外輪24の外側に磁気制動部材６の軸筒部6aが固定されている。
磁気制動部材６は軸筒部6aと大径の筒部6bで形成されて大径の筒部6bはマグネット21、22の間に挿入されている。
ころがり式一方向クラッチＤは複数個の棒状ころがり部材23と外輪24と合成樹脂材の保持体25と図示しない発条とで構成され、スプ−ル13に釣糸18が巻回される方向にハンドル26が回転されると磁気制動部材６は回転不能でスプ−ル13と一体的に回転せず、釣糸18が繰出されてスプ−ル軸５が逆方向に回転されると磁気制動部材６はスプ−ル13と一体的に回転する構成となっている。
【００１２】
スプ−ルカバ−４の内側中心には二段の筒部4bが一体に形成されている。
筒部4bの内側には前記軸受15が装脱自在に嵌合され、その右側の内側にはラジアル軸受28が取り付けられて抜け止めされている。スプ−ルカバ−４に取り付けられた軸受28と右側側板２に取り付けられた軸受29でピニオン７が夫々回転自在にかつ軸方向に移動可能に軸承されている。
ピニオン７の中心孔に押圧軸杆16が軸方向に移動可能に嵌合されている。
【００１３】
スプ−ル軸５の係合突起17とピニオン７の切り溝7eは、クラッチ操作レバ−30で作動板31が操作されて係合・離脱され、周溝7dに作動板31が係合されている。ピニオン７には駆動軸８に嵌合された駆動歯車32が噛合されて駆動機構Ｅが構成されている。
【００１４】
右側側板２の内側に軸筒部2aが突出形成されて前記軸受29が取り付けられ、軸受29の外側には軸筒部2bが突出形成されて外周に螺子部2cが形成されている。
軸筒部2bの外周螺子部2cには調整ツマミ33の外側の筒部内側が螺合されている。
調整ツマミ33の内側の筒部内にはスラスト軸受34が取り付けられ、スラスト軸受34に押圧軸杆16の他側が当接されている。
【００１５】
駆動軸８は右側枠1bに設けられたラジアル軸受35と側板２に取り付けられたメタル軸受部36にカラ−37を介して軸承され、軸受35側の駆動軸８の一端鍔部8aは止め板38で抜け止めされている。
カラ−37は駆動軸８の外周に回り止め嵌合されている。駆動軸８の外周のメタル軸受部36の外側にはドラグ調整ツマミ39が螺合されてドラグ調整ツマミ39の筒部がカラ−37に当接され、駆動軸８の他端8bにはハンドル26がナット40で取り付けられている。
駆動軸８にはクラッチ反転用歯車41が回り止め嵌合されて駆動軸８の鍔部8cに当接され、クラッチ反転用歯車41とカラ−37の間に摩擦板42と駆動歯車32と摩擦板43が嵌合されている。
【００１６】
スプ−ル軸５の係合突起17とピニオン７の切り溝7eが離脱されたクラッチＯＦＦのスプ−ルフリ−回転状態から係合されたクラッチＯＮ状態に切換えられる構成は、スプ−ル13の釣糸巻回胴部外周に釣糸18が巻回される方向にハンドル26が回転された時、クラッチ反転用歯車41で離脱位置の作動板31が係合位置に移動されて係合突起17と切り溝7eが係合されるように構成されている。
側板２のメタル軸受部36より内側に凹部からなる円筒支持部2dが突出形成されて円筒支持部2d内にころがり式一方向クラッチＦの外輪24が回り止め嵌合されている。
ころがり式一方向クラッチＦは前記ころがり式一方向クラッチＤと略同形で、スプ−ル13に釣糸18が巻回される方向にハンドル26が回転可能で、ハンドル26は逆方向に回転不能に構成されている。
【００１７】
前記駆動歯車32には歯車44が噛合されている。
歯車44には釣糸案内装置Ｂのトラバ−スカム軸45が取り付けられている。
釣糸案内装置Ｂは、案内筒46と、案内筒46外周を左右に摺動する釣糸案内体９と、案内筒46の両端に固定された図示されない軸受で軸承された前記トラバ−スカム軸45と、トラバ−スカム軸45のトラバ−ス溝に係合される釣糸案内体９内に収容された係合子47と、係合子47を抜け止め保持するキャップ48と釣糸案内体９の上部に一体に形成されている釣糸案内部9hとで構成されている。
案内筒46の前側には案内杆49が設けられて案内筒46と案内杆49に沿って釣糸案内体９が長手方向に移動案内される。
【００１８】
釣糸案内体９は案内筒46の外周に嵌合される本体9aと、本体9aに穿設された案内筒46が嵌合される貫通孔9bと、本体9aに穿設された案内杆49が嵌合される貫通孔9cと、本体9aから下方に突出した突出部9dと突出部9dに穿設されて係合子47が挿入される透孔9eと、突出部9dの外周にキャップ48が螺合されるネジ部9fとで形成されている。
釣糸案内体９の上部に釣糸案内部9hが一体に形成され、釣糸案内部9hには硬質釣糸ガイド材９″が固定されている。
釣糸案内部9hに固定された硬質釣糸ガイド材９″の釣糸案内孔9mの形状は円形の上方部ｂと、下側に釣糸18の巻回時の幅狭部9k′が形成されて下方部ｃとなる。
上方部ｂの釣糸案内孔9mの内径は幅αの幅広に、下方部ｃの幅狭部9k′はスプ−ル13のフランジ13b 、13c 外周径より上側に幅εの幅狭に形成されている。幅εは例えば釣糸18の径が０．３〜０．４ｍｍの時、０．５〜１ｍｍに形成されていると、釣糸の不要な動きが規制されて糸道が安定し、良好な糸巻き状態で釣糸をスプ−ルに巻回することが出来る。上方部ｂの幅αは釣糸の放出時の抵抗を考慮すると広い方がよく、図示より広いスプ−ル幅の半分〜スプ−ル幅が好ましい。
【００１９】
魚釣用リ−ルの動作は、スプ−ル軸５の係合突起17とピニオン７の切り溝7eが係合されたクラッチＯＮ状態で、スプ−ル13に釣糸18が巻回される方向にハンドル26が回転されると、駆動軸８とカラ−37と駆動歯車32とピニオン７とスプ−ル軸５とスプ−ル13が正回転される。
スプ−ル13の回転に制動力を付与するために調整ツマミ33が回動される時は、スプ−ル軸５の外方延出端部に押圧軸杆16を介して押圧力が加減調整される。
スプ−ル13が正回転される時ころがり式一方向クラッチＤで磁気制動部材６は回転されないのでスプ−ル軸５の回転に制動力は掛けられない。
駆動歯車32が回転されると、釣糸案内装置Ｂのトラバ−スカム軸45は歯車44を介して回転されて釣糸案内体９は案内筒46に沿って往復動され、釣糸18は図３のγのように硬質釣糸ガイド材９″の釣糸案内孔9mの幅εの幅狭部9k′の下方部ｃで案内されて巻回される。
【００２０】
次にクラッチＯＮ状態における魚釣用リ−ルの逆転防止動作は、獲物の引きでスプ−ル13に巻回された釣糸18が繰り出されると、スプ−ル13が逆回転され、この回転で駆動軸８とカラ−37が逆回転される。
駆動軸８とカラ−37が逆回転されると、ころがり式一方向クラッチＦで逆回転が阻止される。
この逆回転でスプ−ル13はころがり式一方向クラッチＦで敏速に停止される。  その後は駆動歯車32に掛けられたドラグ調整ツマミ39で設定された制動力と、スプ−ル軸５に掛けられた調整ツマミ33で設定された制動力と、マグネット21、22と磁気制動部材６による制動力に抗してスプ−ル13は逆回転される。
【００２１】
クラッチＯＮ状態からクラッチＯＦＦ状態のスプ−ルフリ−回転状態に操作される時は、クラッチ操作レバ−30で作動板31が操作されると、ピニオン７が軸方向に移動されてスプ−ル軸５の係合突起17からピニオン７の切り溝7eが離脱される。
クラッチ操作レバ−30の回動でクラッチ機構ＣがＯＦＦ状態でスプ−ル13に巻回された釣糸18が繰り出される時は、スプ−ル13の回転に連動してトラバ−スカム軸45が回転されて釣糸案内体９は案内筒46に沿って往復動される。
尚、公知のようにクラッチＯＦＦ状態の釣糸繰出し時にスプ−ル13に釣糸案内体９を連動しないように構成してもよい。
クラッチ機構ＣがＯＦＦ状態でスプ−ル13に巻回された釣糸18が繰り出されると、釣糸18は図３のδのように硬質釣糸ガイド材９″の釣糸案内孔9mの幅αの幅広い上方部ｂを通して繰り出される。
【００２２】
このように釣糸案内装置Ｂが構成されると、釣糸18の放出時、図３のδのように上方部ｂの幅αの中で抵抗を小さく放出され、釣糸18の巻回時、フランジ13b 、13c 外周径より上側の幅狭部9k′の底で図３のγのように案内されて糸道が安定して確実に平行巻きされる。
【００２３】
前記のように魚釣用リ−ルが構成されると、スプ−ル13に釣糸18が巻回される時は幅εの幅狭部9k′の下方部ｃで釣糸18が案内されて平行巻きされ、放出操作時に釣糸18が上方へ広がった場合には、釣糸18の摩擦抵抗が低減されて飛距離及び釣糸の寿命が向上される。
又、硬質釣糸ガイド材９″の釣糸案内孔9mの上方部ｂが幅広に形成されているため、釣糸18を容易に釣糸案内孔9mに通し易く、糸通しの作業性が良くなる。
【００２４】
図７は第１実施例の第１変形例で、図７は魚釣用リ−ルの釣糸案内装置の拡大正面図である。
【００２５】
第１実施例の第１変形例は、釣糸案内装置Ｂの釣糸案内体９の上部に釣糸案内部9hが一体に形成されている。
釣糸案内部9hには硬質釣糸ガイド材９″が固定されている。
釣糸案内部9hに固定された硬質釣糸ガイド材９″の釣糸案内孔9nの形状は四角形の上方部ｂと、下側に釣糸18の巻回時の幅狭部9k′が形成されて下方部ｃとなる。
上方部ｂの釣糸案内孔9nの内径は幅αの幅広に、下方部ｃの幅狭部9k′はスプ−ル13のフランジ13b 、13c 外周径より上側に幅εの幅狭に形成されている。
【００２６】
図８は第１実施例の第２変形例で、図８は魚釣用リ−ルの釣糸案内装置の拡大正面図である。
【００２７】
第１実施例の第２変形例は、釣糸案内装置Ｂの釣糸案内体９の上部に釣糸案内部9hが一体に形成されている。
釣糸案内部9hには硬質釣糸ガイド材９″が固定されている。
釣糸案内部9hに固定された硬質釣糸ガイド材９″の釣糸案内孔9oの形状は逆三角形の上方部ｂと、下側に釣糸18の巻回時の幅狭部9k′が形成されて下方部ｃとなる。
上方部ｂの釣糸案内孔9oの内径は幅αの幅広に、下方部ｃの幅狭部9k′はスプ−ル13のフランジ13b 、13c 外周径より上側に幅εの幅狭に形成されている。
【００２８】
図９は第１実施例の第３変形例で、図９は魚釣用リ−ルの釣糸案内装置の拡大正面図である。
【００２９】
第１実施例の第３変形例は、釣糸案内装置Ｂの釣糸案内体９の上部に釣糸案内部9hが一体に形成されている。
釣糸案内部9hには硬質釣糸ガイド材９″が固定されている。
釣糸案内部9hに固定された硬質釣糸ガイド材９″の釣糸案内孔9pの形状はＶ字形の上方部ｂと、下側に釣糸18の巻回時の幅狭部9k′が形成されて下方部ｃとなる。
上方部ｂの釣糸案内孔9pの間隔は幅αの幅広に、下方部ｃの幅狭部9k′はスプ−ル13のフランジ13b 、13c 外周径より上側に幅εの幅狭に形成されている。
【００３０】
前記説明では、駆動軸８の外周にころがり式一方向クラッチＦが組み込まれているが、ころがり式一方向クラッチＦは省略してもよい。
前記説明では、側枠１の左右両側枠1a、1bと固定板1cと指載せ杆1dが一体的に形成されたが、別体に形成して両側枠1a、1bを平行に保持してもよい。
【００３１】
【発明の効果】
本発明は、以上説明したような形態で実施され、以下に記載されるような効果を奏する。
【００３２】
本発明によれば、巻取時に幅狭部で釣糸の不要な動きを規制することで糸道が安定して糸巻き状態が良好なものになり、放出時は釣糸の上方への広がりによる摩擦抵抗の軽減が図れて飛距離が向上すると共に釣糸の寿命も向上し、更に糸通しの作業性が良くなる。
【図面の簡単な説明】
【図１】第１実施例で、魚釣用リ−ルの一部断面平面図である。
【図２】同反ハンドル側のスプ−ル軸支持機構の拡大断面平面図である。
【図３】同魚釣用リ−ルの側枠内側の断面側面図である。
【図４】同魚釣用リ−ルの正面図である。
【図５】同釣糸案内装置の拡大正面図である。
【図６】同駆動機構側の拡大断面平面図である。
【図７】第１実施例の第１変形例で、魚釣用リ−ルの釣糸案内装置の拡大正面図である。
【図８】同第２変形例で、魚釣用リ−ルの釣糸案内装置の拡大正面図である。
【図９】同第３変形例で、魚釣用リ−ルの釣糸案内装置の拡大正面図である。
【図10】従来の魚釣用リ−ルの（ａ）側枠内側の断面側面図と（ｂ）要部断面平面図である。
【符号の説明】
Ａ  リ−ル本体
Ｂ  釣糸案内装置
ｂ  上方部
ｃ  下方部
２、10  側板
13b 、13c   フランジ
９  釣糸案内体
9h  釣糸案内部
9m、9n、9o、9p  釣糸案内孔
9k′  幅狭部
13  スプ−ル
18  釣糸
【図１】
0003582687.tif 000002
【図２】
0003582687.tif 000003
【図３】
0003582687.tif 000004
【図４】
0003582687.tif 000005
【図５】
0003582687.tif 000006
【図６】
0003582687.tif 000007
【図７】
0003582687.tif 000008
【図８】
0003582687.tif 000009
【図９】
0003582687.tif 000010
【図１０】
0003582687.tif 000011